(57)【要約】【課題】１箇所の視点から撮影した複数の画像に対応する立体模型の展開図を作製する。【解決手段】画像形成装置１は、制御部１１及び画像形成部１４を備える。制御部１１は、取得部１１２、及び生成部１１６を備える。取得部１１２は、複数の全体画像を示す全体画像データから、第１被写体ＳＢ１に合焦している第１全体画像データと、第２被写体ＳＢ２に合焦している第２全体画像データとを取得する。複数の全体画像の各々は、１箇所の視点から１つの方向を撮影した画像であり、複数の全体画像は、互いに焦点距離が相違する。生成部１１６は、第１被写体ＳＢ１の焦点距離、及び第２被写体ＳＢ２の焦点距離に基づいて、立体模型６の展開図を示す展開画像５００を生成する。展開画像５００は、第１被写体ＳＢ１に対応する第１画像Ｐ１、及び第２被写体ＳＢ２に対応する第２画像Ｐ２を含む。画像形成部１４は、用紙Ｐに展開画像５００を形成する。【選択図】図２
2018173725.tif 000002
【特許請求の範囲】
【請求項１】
複数の全体画像を示す全体画像データから、第１被写体に合焦している第１全体画像データと、前記第１被写体とは相違する第２被写体に合焦している第２全体画像データとを取得する取得部と、
前記第１被写体の焦点距離、及び前記第２被写体の焦点距離に基づいて、立体模型の展開図を示す展開画像を生成する生成部と、
記録媒体に前記展開画像を形成する画像形成部と
を備え、
前記展開画像は、前記第１被写体に対応する第１画像、及び前記第２被写体に対応する第２画像を含み、
前記複数の全体画像の各々は、１箇所の視点から１つの方向を撮影した画像であり、前記複数の全体画像は、互いに焦点距離が相違する、画像形成装置。
【請求項２】
前記第２被写体の焦点距離は、前記第１被写体の焦点距離より長く、
前記第２画像は、背景画像を示し、
前記生成部は、前記展開画像の予め設定された特定の領域に前記第２画像を生成する、請求項１に記載の画像形成装置。
【請求項３】
前記第１全体画像データに対応する全体画像のエッジを検出する検出部を更に備え、
前記生成部は、
前記展開画像の前記特定の領域を除く領域に、前記第１被写体の焦点距離に基づいて、前記第１被写体に対応する切り抜き画像を生成し、
前記検出部によって検出されたエッジのうち、前記第１画像のエッジを前記切り抜き画像の外縁とする、請求項２に記載の画像形成装置。
【請求項４】
前記生成部は、前記展開画像において前記特定の領域を除く領域に、前記切り抜き画像の柱を示す柱画像を生成し、
前記柱は、前記記録媒体のうち前記切り抜き画像が形成された領域を切り抜いて前記記録媒体を含む平面に対して立てる際に、前記切り抜き画像が形成された領域を支持する、請求項３に記載の画像形成装置。
【請求項５】
前記切り抜き画像の位置及び大きさの少なくとも一方を調整する調整部を更に備える、請求項４に記載の画像形成装置。
【請求項６】
前記調整部は、前記柱画像の位置及び大きさの少なくとも一方を調整する、請求項５に記載の画像形成装置。
【請求項７】
前記第１画像と前記第２画像とを合成するか否かを判定する判定部と、
前記第１画像と前記第２画像とを合成すると前記判定部が判定した場合に、前記第１画像と前記第２画像とを合成して１つの合成画像を生成する合成部とを更に備え、
前記判定部は、前記第１被写体の焦点距離、及び前記第２被写体の焦点距離と、前記第１画像の大きさ、及び前記第２画像の大きさと、前記第１画像と前記第２画像との位置関係とに基づき、前記第１画像と前記第２画像とを合成するか否かを判定する、請求項１から請求項６のいずれか１項に記載の画像形成装置。
【請求項８】
画像を表示する表示部と、
前記全体画像データから前記展開画像を生成する場合に選択されるアイコンを、前記表示部に表示する表示制御部と
を更に備える、請求項１から請求項７のいずれか１項に記載の画像形成装置。
【発明の詳細な説明】
【技術分野】
【０００１】
本発明は、画像形成装置に関する。
【背景技術】
【０００２】
特許文献１に記載の立体物作成装置は、三次元位置検出部、画像作成部、展開図算出部、及び印刷部を備える。三次元位置検出部は、異なる位置で撮影された複数の入力画像から背景及び被写体の三次元位置を求める。画像作成部は、背景及び被写体の三次元位置と入力画像とから背景画像及び被写体画像を作成する。展開図算出部は、背景及び被写体の三次元位置と背景画像及び被写体画像とから、台紙上に背景画像と被写体画像とを配置して、展開図を作り出す。展開図は、台紙を開閉することによって背景画像と被写体画像とが起き上がるように形成される。印刷部は、展開図を印刷する。
【先行技術文献】
【特許文献】
【０００３】
【特許文献１】特開２０００−１３２６７６号公報
【発明の概要】
【発明が解決しようとする課題】
【０００４】
しかしながら、特許文献１に記載の立体物作成装置には、異なる位置から同時に撮影された複数の入力画像が必要である。異なる位置から同時に撮影された複数の入力画像を撮影するためには、異なる位置に配置された複数台のカメラで同一の被写体を同時に撮影する必要があるが、このような撮影を行うことは容易ではない。
【０００５】
本発明は、上記課題に鑑みてなされたものであり、１箇所の視点から撮影した複数の画像に対応する立体模型の展開図を作製する画像形成装置を提供することを目的としている。
【課題を解決するための手段】
【０００６】
本発明の画像形成装置は、取得部、生成部、及び画像形成部を備える。前記取得部は、複数の全体画像を示す全体画像データから、第１被写体に合焦している第１全体画像データと、前記第１被写体とは相違する第２被写体に合焦している第２全体画像データとを取得する。前記複数の全体画像の各々は、１箇所の視点から１つの方向を撮影した画像であり、前記複数の全体画像は、互いに焦点距離が相違する。前記生成部は、前記第１被写体の焦点距離、及び前記第２被写体の焦点距離に基づいて、立体模型の展開図を示す展開画像を生成する。前記展開画像は、前記第１被写体に対応する第１画像、及び前記第２被写体に対応する第２画像を含む。前記画像形成部は、記録媒体に前記展開画像を形成する。
【発明の効果】
【０００７】
本発明の画像形成装置によれば、１箇所の視点から撮影した複数の画像に対応する立体模型の展開図を作製できる。
【図面の簡単な説明】
【０００８】
【図１】本発明の実施形態に係る画像形成装置の構成を示す図である。
【図２】本発明の実施形態に係る制御部の構成を示す図である。
【図３】判定部、及び合成部の処理を説明するための図である。（ａ）は、第１被写体に合焦している画像を示し、（ｂ）は、第２被写体に合焦している画像を示す。
【図４】検出部、及び生成部の処理を説明するための図である。
【図５】検出部、及び生成部の処理を説明するための別の図である。
【図６】生成部の処理を説明するための図である。
【図７】生成部、及び調整部の処理を説明するための図である。
【図８】展開画像に対応する立体模型を示す斜視図である。
【図９】制御部の処理を示すフローチャートである。
【図１０】制御部の処理を示すフローチャートである。
【図１１】制御部の画像合成処理を示すフローチャートである。
【図１２】制御部の画像調整処理を示すフローチャートである。
【発明を実施するための形態】
【０００９】
以下、本発明の実施形態について、図面（図１〜図１２）を参照しながら説明する。なお、図中、同一又は相当部分については同一の参照符号を付して説明を繰り返さない。
【００１０】
まず、図１を参照して、本発明の実施形態に係る画像形成装置１について説明する。図１は、画像形成装置１の構成を示す図である。図１に示すように、画像形成装置１は、カラー複合機である。画像形成装置１は、いわゆる、「電子写真方式」で用紙Ｐ（記録媒体）に画像を形成する。用紙Ｐは、本実施形態では、厚紙である。
【００１１】
画像形成装置１は、制御部１１、給送部１２、搬送部Ｌ、トナー供給ユニット１３、画像形成部１４、定着部１６、排出部１７、及び操作表示部１８を備える。画像形成部１４は、転写部１５を含む。
【００１２】
制御部１１は、プロセッサー１１Ａ、及び記憶部１１Ｂを備える。プロセッサー１１Ａは、例えばＣＰＵ（Ｃｅｎｔｒａｌ  Ｐｒｏｃｅｓｓｉｎｇ  Ｕｎｉｔ）を備える。記憶部１１Ｂは、半導体メモリーのようなメモリーを備え、ＨＤＤ（Ｈａｒｄ  Ｄｉｓｋ  Ｄｒｉｖｅ）を備えてもよい。記憶部１１Ｂは、制御プログラムを記憶している。
【００１３】
給送部１２は、用紙Ｐを搬送部Ｌへ供給する。搬送部Ｌは、用紙Ｐを転写部１５及び定着部１６を経由して排出部１７まで搬送する。
【００１４】
トナー供給ユニット１３は、画像形成部１４にトナーを供給する。画像形成部１４は、用紙Ｐに画像を形成する。
【００１５】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１６】
定着部１６は、用紙Ｐを加熱及び加圧し、用紙Ｐに形成された画像を用紙Ｐに定着する。排出部１７は、用紙Ｐを画像形成装置１の外部へ排出する。
【００１７】
操作表示部１８は、ユーザーからの操作を受け付ける。操作表示部１８は、タッチパネル１８１を備える。タッチパネル１８１は、例えば、ＬＣＤ（Ｌｉｑｕｉｄ  Ｃｒｙｓｔａｌ  Ｄｉｓｐｌａｙ）を備え、種々の画像を表示する。タッチパネル１８１は、「表示部」に相当する。また、タッチパネル１８１は、タッチセンサーを更に備え、ユーザーからの操作を受け付ける。
【００１８】
次に、図１及び図２を参照して、本発明の実施形態に係る制御部１１の構成について説明する。図２は、制御部１１の構成を示す図である。図２に示すように、制御部１１は、表示制御部１１１、取得部１１２、判定部１１３、合成部１１４、検出部１１５、生成部１１６、調整部１１７、及び指示部１１８を備える。具体的には、プロセッサー１１Ａが、記憶部１１Ｂから制御プログラムを読み出して実行することによって、表示制御部１１１、取得部１１２、判定部１１３、合成部１１４、検出部１１５、生成部１１６、調整部１１７、及び指示部１１８として機能する。
【００１９】
表示制御部１１１は、種々のアイコンをタッチパネル１８１に表示する。種々のアイコンは、展開画像を生成する場合にユーザーがタッチする展開画像アイコンを含む。
【００２０】
表示制御部１１１が、画像データから展開画像を生成する場合にユーザーがタッチするアイコンをタッチパネル１８１に表示する。よって、画像形成装置１が展開画像を生成する機能を有することをユーザーが確認できる。したがって、ユーザーの利便性を向上できる。
【００２１】
取得部１１２は、複数の全体画像を示す全体画像データから、第１全体画像データ及び第２全体画像データを取得する。第１全体画像データは、第１全体画像に対応する。第１全体画像は、第１被写体ＳＢ１に合焦している全体画像であって、第１画像Ｐ１を含む。第１画像Ｐ１は、第１被写体ＳＢ１に対応する画像を示す。第２全体画像データは、第２全体画像に対応する。第２全体画像は、第２被写体ＳＢ２に合焦している全体画像であって、第２画像Ｐ２を含む。第２画像Ｐ２は、第２被写体ＳＢ２に対応する画像を示す。
【００２２】
本実施形態では、画像形成装置１は、ＵＳＢ（Ｕｎｉｖｅｒｓａｌ  Ｓｅｒｉａｌ  Ｂｕｓ）メモリー２が着脱自在に構成される。ＵＳＢメモリー２は、複数の画像データを記憶する。複数の画像データは、デジタルカメラ、又はスマートフォンのような携帯端末装置によって生成される。
【００２３】
例えば、デジタルカメラは、焦点距離の相違する全体画像を高速で連写する。具体的には、デジタルカメラは、焦点距離の相違する全体画像を１秒間に３０個生成する。また、例えば、３０個の全体画像を示す画像データが、ＵＳＢメモリー２に予め記憶されている。なお、全体画像の各々は、１箇所の視点から１つの方向を撮影した画像である。
【００２４】
判定部１１３は、第１画像Ｐ１と第２画像Ｐ２とを合成するか否かを判定する。
【００２５】
合成部１１４は、第１画像Ｐ１と第２画像Ｐ２とを合成して１つの合成画像を生成する。
【００２６】
検出部１１５は、第１全体画像のエッジを検出する。
【００２７】
生成部１１６は、第１被写体ＳＢ１の焦点距離、及び第２被写体ＳＢ２の焦点距に基づいて、第１画像Ｐ１及び第２画像Ｐ２を含む展開画像を生成する。展開画像は、立体模型の展開図を示す。
【００２８】
したがって、以下の手順によって、ユーザーは、立体模型を作製できる。まず、用紙Ｐに展開画像を形成する。そして、用紙Ｐのうち第１画像Ｐ１が形成された領域の一部を残して切り取って、用紙Ｐ本体に対して垂直に立ち上がるように折曲げる。また、第２画像Ｐ２が形成された領域の一部を残して切り取って、用紙Ｐ本体に対して垂直に立ち上がるように折曲げる。このようにして、１箇所の視点から撮影した複数の全体画像に対応する立体模型の展開図を作製できる。
【００２９】
調整部１１７は、展開画像に含まれる画像の位置及び大きさを調整する。
【００３０】
指示部１１８は、用紙Ｐに展開画像を形成するように画像形成部１４に指示する。
【００３１】
以上、図１及び図２を参照して説明したように、取得部１１２は、複数の全体画像を示す画像データから、第１被写体ＳＢ１に合焦している第１全体画像データと、第１被写体ＳＢ１とは相違する第２被写体ＳＢ２に合焦している第２全体画像データとを取得する。なお、複数の全体画像の各々は、１箇所の視点から１つの方向を撮影した画像である。そして、生成部１１６は、第１被写体ＳＢ１の焦点距離、及び第２被写体ＳＢ２の焦点距離に基づいて、第１被写体ＳＢ１に対応する第１画像Ｐ１、及び第２被写体ＳＢ２に対応する第２画像Ｐ２を含む展開画像を生成する。更に、指示部１１８は、用紙Ｐに展開画像を形成するように画像形成部１４に指示する。
【００３２】
そこで、第１被写体ＳＢ１の焦点距離に応じた位置に第１画像Ｐ１を形成し、第２被写体ＳＢ２の焦点距離に応じた位置に第２画像Ｐ２を形成できる。よって、第２被写体ＳＢ２の焦点距離が、第１被写体ＳＢ１の焦点距離より長い場合には、用紙Ｐにおいて第２画像Ｐ２が形成される位置を、用紙Ｐにおいて第１画像Ｐ１が形成される位置よりも用紙Ｐの特定の辺から離間する位置に配置できる。特定の辺は、例えば、１対の短辺のうち、一方の辺である。したがって、１箇所の視点から撮影した複数の画像に対応する立体模型の展開図を形成できる。
【００３３】
次に、図２、図３（ａ）及び図３（ｂ）を参照して、判定部１１３、及び合成部１１４の処理について説明する。図３（ａ）及び図３（ｂ）は、判定部１１３、及び合成部１１４の処理を説明するための図である。図３（ａ）は、第１被写体ＳＢ１に合焦している全体画像３００を示す。図３（ｂ）は、第２被写体ＳＢ２に合焦している全体画像３１０を示す。
【００３４】
判定部１１３は、第１被写体ＳＢ１の焦点距離、及び第２被写体ＳＢ２の焦点距離と、第１画像Ｐ１の大きさ、及び第２画像Ｐ２の大きさと、第１画像Ｐ１と第２画像Ｐ２との位置関係とに基づき、第１画像Ｐ１と第２画像Ｐ２とを合成して１つの画像にするか否かを判定する。
【００３５】
合成部１１４は、第１画像Ｐ１と第２画像Ｐ２とを合成して１つの画像にすると判定部１１３が判定した場合に、第１画像Ｐ１と第２画像Ｐ２とを合成して１つの合成画像を生成する。
【００３６】
図３（ａ）に示すように、全体画像３００は、第１画像３０１と、第２画像３０２とを含む。第１画像３０１は、被写体が電車ＳＢ１１である画像を示す。電車ＳＢ１１は、第１被写体ＳＢ１に相当する。第２画像３０２は、被写体がトンネルＳＢ１２である画像を示す。トンネルＳＢ１２は、第２被写体ＳＢ２に相当する。焦点マークＦＣ１１は、第１画像３０１上に位置しており、電車ＳＢ１１に合焦していることを示している。
【００３７】
図３（ｂ）に示すように、全体画像３１０は、第１画像３１１と、第２画像３１２とを含む。第１画像３１１は、被写体が電車ＳＢ１１（第１被写体ＳＢ１）である画像を示す。第２画像３１２は、被写体がトンネルＳＢ１２（第２被写体ＳＢ２）である画像を示す。焦点マークＦＣ１２は、第２画像３１２上に位置しており、トンネルＳＢ１２に合焦していることを示している。
【００３８】
また、図３（ａ）及び図３（ｂ）に示すように、トンネルＳＢ１２の第２画像３０２、３１２は、電車ＳＢ１１の第１画像３０１、３１１より大きい。電車ＳＢ１１は、トンネルＳＢ１２の中に位置する。よって、視点からの電車ＳＢ１１までの距離は、視点からトンネルＳＢ１２までの距離より長い。したがって、電車ＳＢ１１までの焦点距離は、トンネルＳＢ１２までの焦点距離より長い。また、トンネルＳＢ１２は、電車ＳＢ１１の周囲を囲んでいる。
【００３９】
このように、下記の３つの条件を満たす場合には、判定部１１３は、第１画像３０１と第２画像３０２とを合成すると判定する。
条件１：第１被写体ＳＢ１の焦点距離が第２被写体ＳＢ２の焦点距離より長い。
条件２：第２画像３０２の大きさが第１画像３０１の大きさより大きい。
条件３：第２画像３０２が第１画像３０１の周囲を囲む。
なお、条件３は、第１画像Ｐ１と第２画像Ｐ２との「位置関係」に相当する。
【００４０】
具体的には、条件１〜条件３を満たす場合に、第１画像Ｐ１と第２画像Ｐ２とを別々の画像として取り扱うと、以下のような問題が発生する。すなわち、立体模型を作製するときに、第２画像Ｐ２を示すパーツを手前に配置し、第１画像Ｐ１を示すパーツを奥に配置すると、第２画像Ｐ２を示すパーツによって第１画像Ｐ１を示すパーツが隠れてしまう。よって、第１画像Ｐ１と第２画像Ｐ２とを別々の画像として取り扱って立体模型を作製することは好ましくない。すなわち、第１画像Ｐ１と第２画像Ｐ２とを１つの画像として取り扱うことが好ましい。したがって、判定部１１３は、２つの画像を合成して１つの画像として取り扱うことが好ましいか否かを判定できる。
【００４１】
また、第１画像３０１と第２画像３０２とを合成して１つの画像にすると判定部１１３が判定した場合には、合成部１１４は、第１画像３０１と第２画像３０２とを合成して１つの合成画像を生成する。同様にして、合成部１１４は、第１画像３１１と第２画像３１２とを合成して１つの合成画像を生成する。
【００４２】
以上、図２、図３（ａ）及び図３（ｂ）を参照して説明したように、本実施形態では、判定部１１３は、第１被写体ＳＢ１の焦点距離、及び第２被写体ＳＢ２の焦点距離と、第１画像Ｐ１の大きさ、及び第２画像Ｐ２の大きさと、第１画像Ｐ１と第２画像Ｐ２との位置関係とに基づき、第１画像Ｐ１と第２画像Ｐ２とを合成するか否かを判定する。よって、２つの画像を合成して１つの画像として取り扱うことが好ましいか否かを判定できる。また、第１画像Ｐ１と第２画像Ｐ２とを合成すると判定部１１３が判定した場合に、合成部１１４は、第１画像Ｐ１と第２画像Ｐ２とを合成して１つの合成画像を生成する。したがって、１つの画像として取り扱うことが好ましい２つの画像（第１画像Ｐ１と第２画像Ｐ２と）を合成できる。
【００４３】
次に、図２、図４、及び図５を参照して、検出部１１５、及び生成部１１６の処理について説明する。図４は、検出部１１５、及び生成部１１６の処理を説明するための図である。図４は、第１全体画像４００を示す。
【００４４】
図４に示すように、第１全体画像４００は、第１画像４０１、第１画像４０２、第１画像４０３、第１画像４０４、及び第２画像４０５を含む。第１画像４０１は、被写体が魚ＳＢ２１である画像を示す。第１画像４０２は、被写体が魚ＳＢ２２である画像を示す。第１画像４０３は、被写体が鳥ＳＢ２３である画像を示す。第１画像４０４は、被写体が鳥ＳＢ２４である画像を示す。魚ＳＢ２１、魚ＳＢ２２、鳥ＳＢ２３、及び鳥ＳＢ２４は、第１被写体ＳＢ１に相当する。第２画像４０５は、被写体が山ＳＢ２５である画像を示す。山ＳＢ２５は、第２被写体ＳＢ２に相当する。
【００４５】
図４において、焦点マークＦＣ２１及び焦点マークＦＣ２２が示される。焦点マークＦＣ２１は、第１画像４０１上に位置しており、魚ＳＢ２１に合焦していることを示している。焦点マークＦＣ２２は、第１画像４０２上に位置しており、魚ＳＢ２２に合焦していることを示している。
【００４６】
検出部１１５は、第１全体画像データに対応する第１全体画像４００のエッジを検出する。検出部１１５は、第１全体画像データに対して、いわゆる「エッジ検出処理」を施すことによって、エッジを検出する。「エッジ検出処理」は、例えば、公知の「キャニー法（Ｃａｎｎｙ  ｅｄｇｅ  ｄｅｔｅｃｔｏｒ）」でも良いし、公知の「微分エッジ検出処理」でも良い。
【００４７】
具体的には、検出部１１５は、第１全体画像４００に含まれる第１画像４０１、第１画像４０２、第１画像４０３、第１画像４０４、及び第２画像４０５のエッジをそれぞれ検出する。図４には、第１エッジＥ４０１、第１エッジＥ４０２、第１エッジＥ４０３、第１エッジＥ４０４、及び第２エッジＥ４０５が示されている。第１エッジＥ４０１は、第１画像４０１のエッジを示す。第１エッジＥ４０２は、第１画像４０２のエッジを示す。第１エッジＥ４０３は、第１画像４０３のエッジを示す。第１エッジＥ４０４は、第１画像４０４のエッジを示す。第２エッジＥ４０５は、第２画像４０５のエッジを示す。
【００４８】
生成部１１６は、検出部１１５によって検出されたエッジのうち、第１画像Ｐ１のエッジを「切り抜き画像」の外縁とする。具体的には、生成部１１６は、第１画像Ｐ１のうち、合焦している第１画像Ｐ１に対して、第１画像Ｐ１のエッジを「切り抜き画像」の外縁とする処理を行う。更に具体的には、第１全体画像４００では、魚ＳＢ２１及び魚ＳＢ２２に合焦している。よって、生成部１１６は、第１エッジＥ４０１を、第１画像４０１に対応する「切り抜き画像」の外縁とする。また、生成部１１６は、第１エッジＥ４０２を、第１画像４０２に対応する「切り抜き画像」の外縁とする。
【００４９】
「切り抜き画像」とは、展開図に配置される画像である。また、「切り抜き画像」は用紙Ｐの展開画像を形成した後で、立体模型を作製するために、ユーザーによって切り抜かれる。そして、「切り抜き画像」は、ユーザーによって用紙Ｐに対して垂直に立ち上がるように折曲げられる（正確には、画像が形成された用紙Ｐの領域）。「切り抜き画像」については、図７及び図８を参照して詳細に説明する。
【００５０】
図５は、検出部１１５、及び生成部１１６の処理を説明するための別の図である。図５に示す第１全体画像４１０は、図４に示す第１全体画像４００と比較して、鳥ＳＢ２３、及び鳥ＳＢ２４に合焦している点で相違している。図５は、第１全体画像４１０を示す。
【００５１】
図５に示すように、第１全体画像４１０は、第１画像４１１、第１画像４１２、第１画像４１３、第１画像４１４、及び第２画像４１５を含む。第１画像４１１は、被写体が魚ＳＢ２１である画像を示す。第１画像４１２は、被写体が魚ＳＢ２２である画像を示す。第１画像４１３は、被写体が鳥ＳＢ２３である画像を示す。第１画像４１４は、被写体が鳥ＳＢ２４である画像を示す。魚ＳＢ２１、魚ＳＢ２２、鳥ＳＢ２３、及び鳥ＳＢ２４は、第１被写体ＳＢ１に相当する。第２画像４１５は、被写体が山ＳＢ２５である画像を示す。山ＳＢ２５は、第２被写体ＳＢ２に相当する。
【００５２】
図５において、焦点マークＦＣ２３及び焦点マークＦＣ２４が示される。焦点マークＦＣ２３は、第１画像４１３上に位置しており、鳥ＳＢ２３に合焦していることを示している。焦点マークＦＣ２４は、第１画像４１４上に位置しており、鳥ＳＢ２４に合焦していることを示している。
【００５３】
検出部１１５は、第１全体画像４１０のエッジを検出する。具体的には、検出部１１５は、第１全体画像４１０に含まれる第１画像４１１、第１画像４１２、第１画像４１３、第１画像４１４、及び第２画像４１５のエッジをそれぞれ検出する。図５には、第１エッジＥ４１１、第１エッジＥ４１２、第１エッジＥ４１３、第１エッジＥ４１４、及び第２エッジＥ４１５が示されている。第１エッジＥ４１１は、第１画像４１１のエッジを示す。第１エッジＥ４１２は、第１画像４１２のエッジを示す。第１エッジＥ４１３は、第１画像４１３のエッジを示す。第１エッジＥ４１４は、第１画像４１４のエッジを示す。第２エッジＥ４１５は、第２画像４１５のエッジを示す。
【００５４】
生成部１１６は、検出部１１５によって検出されたエッジのうち、第１画像Ｐ１のエッジを「切り抜き画像」の外縁とする。具体的には、生成部１１６は、第１画像Ｐ１のうち、合焦している第１画像Ｐ１に対して、第１画像Ｐ１のエッジを「切り抜き画像」の外縁とする処理を行う。更に具体的には、第１全体画像４１０では、鳥ＳＢ２３及び鳥ＳＢ２４に合焦している。よって、生成部１１６は、第１エッジＥ４１３を、第１画像４１３に対応する「切り抜き画像」の外縁とする。また、生成部１１６は、第１エッジＥ４１４を、第１画像４１４に対応する「切り抜き画像」の外縁とする。
【００５５】
以上、図２、図４、及び図５を参照して説明したように、本実施形態では、検出部１１５は、第１全体画像のエッジを検出する。第１全体画像では、第１画像Ｐ１に対応する第１被写体ＳＢ１が合焦している。よって、第１画像Ｐ１は鮮明な画像である。したがって、検出部１１５は、第１画像Ｐ１のエッジを正確に検出できる。また、生成部１１６は、検出部１１５によって検出されたエッジのうち、第１画像Ｐ１のエッジを第１被写体ＳＢ１に対応する切り抜き画像の外縁とする。したがって、第１被写体ＳＢ１に対応する切り抜き画像の外縁を適正な位置に決定できる。
【００５６】
次に、図２、及び図４〜図６を参照して、生成部１１６の処理を更に説明する。図６は、生成部１１６の処理を説明するための図である。図６に示す第２全体画像４２０は、図４、図５に示す第１全体画像４００、４１０と比較して、山ＳＢ２５に合焦している点で相違している。図６は、第２全体画像４２０を示す。
【００５７】
図６に示すように、第２全体画像４２０には、第１画像４２１、第１画像４２２、第１画像４２３、第１画像４２４、及び第２画像４２５を含む。第１画像４２１は、被写体が魚ＳＢ２１である画像を示す。第１画像４２２は、被写体が魚ＳＢ２２である画像を示す。第１画像４２３は、被写体が鳥ＳＢ２３である画像を示す。第１画像４２４は、被写体が鳥ＳＢ２４である画像を示す。魚ＳＢ２１、魚ＳＢ２２、鳥ＳＢ２３、及び鳥ＳＢ２４は、第１被写体ＳＢ１に相当する。第２画像４２５は、被写体が山ＳＢ２５である画像を示す。山ＳＢ２５は、第２被写体ＳＢ２に相当する。
【００５８】
図６において、焦点マークＦＣ２５が示される。焦点マークＦＣ２５は、第２画像４２５上に位置しており、山ＳＢ２５に合焦していることを示している。
【００５９】
山ＳＢ２５の焦点距離は、魚ＳＢ２１、魚ＳＢ２２、鳥ＳＢ２３、及び鳥ＳＢ２４の焦点距離より長い。また、山ＳＢ２５は、背景画像を示す。
【００６０】
以上、図２、及び図６を参照して説明したように、第２全体画像４２０は山ＳＢ２５に合焦しているため、第２画像４２５は鮮明な画像である。生成部１１６は、第２画像４２５を、展開画像における背景画像に決定する。したがって、生成部１１６は、展開画像における背景画像を鮮明な画像に決定できる。
【００６１】
次に、図２、図４〜図７を参照して、生成部１１６、及び調整部１１７の処理について説明する。図７は、生成部１１６、及び調整部１１７の処理を説明するための図である。図７は、展開画像５００を示す。
【００６２】
図７に示すように、展開画像５００は、切り抜き画像５０１、切り抜き画像５０２、切り抜き画像５０３、切り抜き画像５０４、及び背景画像５０５を含む。切り抜き画像５０１は、被写体が魚ＳＢ２１である切り抜き画像を示す。切り抜き画像５０２は、被写体が魚ＳＢ２２である切り抜き画像を示す。切り抜き画像５０３は、被写体が鳥ＳＢ２３である切り抜き画像を示す。切り抜き画像５０４は、被写体が鳥ＳＢ２４である切り抜き画像を示す。背景画像５０５は、被写体が山ＳＢ２５である背景画像を示す。
【００６３】
生成部１１６は、展開画像５００の予め設定された特定の領域ＡＲ１に、背景に対応する第２画像Ｐ２を生成する。第２画像Ｐ２は、具体的には、背景画像５０５である。「特定の領域ＡＲ１」は、例えば、展開画像５００の長辺方向の一方側の領域である。本実施形態では、図７に示すように、「特定の領域ＡＲ１」は、展開画像５００の長辺方向の上側の領域である。なお、生成部１１６は、図６に示す第２画像４２５を拡縮して、背景画像５０５を生成する。
【００６４】
また、生成部１１６は、展開画像５００の特定の領域ＡＲ１を除く領域ＡＲ２に、第１被写体ＳＢ１に対応する切り抜き画像を生成する。具体的には、生成部１１６は、領域ＡＲ２に、第１被写体ＳＢ１である魚ＳＢ２１、魚ＳＢ２２、鳥ＳＢ２３、及び鳥ＳＢ２４の焦点距離に基づいて、それぞれ切り抜き画像５０１、切り抜き画像５０２、切り抜き画像５０３、及び切り抜き画像５０４を生成する。
【００６５】
なお、生成部１１６は、図３に示す第１画像４０１を拡縮して、切り抜き画像５０１を生成する。生成部１１６は、図３に示す第１画像４０２を拡縮して、切り抜き画像５０２を生成する。生成部１１６は、図４に示す第１画像４１３を拡縮して、切り抜き画像５０３を生成する。生成部１１６は、図４に示す第１画像４１４を拡縮して、切り抜き画像５０４を生成する。
【００６６】
更に具体的には、魚ＳＢ２１、及び魚ＳＢ２２の焦点距離は、鳥ＳＢ２３、及び鳥ＳＢ２４の焦点距離より短い。よって、生成部１１６は、魚ＳＢ２１の切り抜き画像５０１、及び魚ＳＢ２２の切り抜き画像５０２を、鳥ＳＢ２３の切り抜き画像５０３、及び鳥ＳＢ２４の切り抜き画像５０４より、背景画像５０５から離間する側（下側）に生成する。
【００６７】
また、生成部１１６は、展開画像５００の特定の領域ＡＲ１を除く領域ＡＲ２に、切り抜き画像５０１〜５０４の柱ＳＴ１、柱ＳＴ２、柱ＳＴ３及び柱ＳＴ４を示す柱画像を生成する。用紙Ｐのうち切り抜き画像５０１〜５０４が形成された領域は、ユーザーによって切り抜かれて、用紙Ｐを含む平面に対して垂直に立ち上がるように折曲げられる。その際に、「柱ＳＴ１〜ＳＴ４」は、それぞれ、切り抜き画像５０１〜５０４が形成された領域を支持する。具体的には、生成部１１６は、切り抜き画像５０１の柱ＳＴ１を示す柱画像５１１を領域ＡＲ２に生成する。生成部１１６は、切り抜き画像５０２の柱ＳＴ２を示す柱画像５１２を領域ＡＲ２に生成する。生成部１１６は、切り抜き画像５０３の柱ＳＴ３を示す柱画像５１３を領域ＡＲ２に生成する。生成部１１６は、切り抜き画像５０４の柱ＳＴ４を示す柱画像５１４を領域ＡＲ２に生成する。
【００６８】
生成部１１６は、柱画像５１１、５１２の長さを、それぞれ、第１画像４０１、４０２の上下方向の位置に応じて決定する。第１画像４０１、４０２は、それぞれ、切り抜き画像５０１、５０２に対応する。生成部１１６は、柱画像５１３、５１４の長さを、それぞれ、第１全体画像４１０における第１画像４１３、４１４の上下方向の位置に応じて決定する。第１画像４１３、４１４は、それぞれ、切り抜き画像５０３、５０４に対応する。第１画像４１３、４１４の上下方向の位置は、第１画像４０１、４０３の上下方向の位置より高いため、生成部１１６は、柱画像５１３、５１４の長さを、柱画像５１１、５１２の長さより長く決定する。
【００６９】
調整部１１７は、切り抜き画像５０１〜５０４の位置及び大きさを調整する。具体的には、調整部１１７は、タッチパネル１８１からのユーザーによる指示に基づいて、切り抜き画像５０１〜５０４の位置及び大きさを調整する。
【００７０】
また、調整部１１７は、柱画像５１１〜５１４の位置及び大きさを調整する。具体的には、調整部１１７は、タッチパネル１８１からのユーザーによる指示に基づいて、柱画像５１１〜５１４の位置及び大きさを調整する。
【００７１】
以上、図２、図４〜図７を参照して説明したように、本実施形態では、生成部１１６が、展開画像５００の予め設定された特定の領域ＡＲ１に背景画像５０５を生成する。例えば、展開画像５００の上側の領域に背景画像５０５を生成する。ユーザーは、用紙Ｐの背景画像５０５が形成された領域を、用紙Ｐの他の領域に対して垂直に立ち上がるように折曲げることによって、立体模型の背景を作製できる。したがって、立体模型の背景に対応する背景画像５０５を簡単な処理で生成できる。
【００７２】
また、生成部１１６は、展開画像５００の特定の領域ＡＲ１を除く領域ＡＲ２に、魚ＳＢ２１、魚ＳＢ２２、鳥ＳＢ２３、及び鳥ＳＢ２４に対応する切り抜き画像５０１〜５０４を生成する。すなわち、切り抜き画像５０１〜５０４は、背景画像５０５が形成される領域ＡＲ１とは別の領域ＡＲ２に形成される。したがって、ユーザーは切り抜き画像５０１〜５０４を切り抜いて、切り抜き画像５０１〜５０４が垂直に立ち上がるように折曲げることによって立体模型を作製できる。
【００７３】
更に、生成部１１６は、展開画像５００の領域ＡＲ２に、柱画像５１１〜５１４を生成する。柱画像５１１〜５１４は、それぞれ、切り抜き画像５０１〜５０４の柱ＳＴ１〜ＳＴ４を示す。したがって、ユーザーは、展開画像５００を用紙Ｐに形成し、柱画像５１１〜５１４が形成された領域を切り抜いて、柱ＳＴ１〜ＳＴ４を作製できる。よって、立体模型の柱ＳＴ１〜ＳＴ４を簡単な手順で作製できる。
【００７４】
また、調整部１１７が、ユーザーの指示に基づいて、切り抜き画像５０１〜５０４の位置及び大きさを調整する。よって、切り抜き画像５０１〜５０４の位置及び大きさを、それぞれ、ユーザーが所望する位置及び大きさに調整できる。
【００７５】
更に、調整部１１７が、ユーザーの指示に基づいて、柱画像５１１〜５１４の位置及び大きさを調整する。よって、柱画像５１１〜５１４の位置及び大きさを、それぞれ、ユーザーが所望する位置及び大きさに調整できる。
【００７６】
次に、図７及び図８を参照して、立体模型６について説明する。図８は、展開画像５００に対応する立体模型６を示す斜視図である。展開画像５００から立体模型６を作製する手順を以下に説明する。
【００７７】
まず、用紙Ｐに展開画像５００を形成する。次に、領域ＡＲ１と領域ＡＲ２との境界線ＦＬを谷折りする。そして、領域ＡＲ２が水平面に含まれるように用紙Ｐを配置する。このようにして、立体模型６における背景を作製できる。
【００７８】
次に、切り抜き画像５０１〜５０４の第１エッジＥ４０１、Ｅ４０２、Ｅ４１３、Ｅ４１４を切り抜く。ただし、第１エッジＥ４０１、Ｅ４０２、Ｅ４１３、Ｅ４１４のうち、柱画像５１１〜５１４と接続されている箇所は、切り抜かない。そして、柱画像５１１〜５１４の長手方向に平行な２辺を切り抜く。次に、柱画像５１１において、切り抜き画像５０１から離間する側の短辺に沿って谷折りして、切り抜き画像５０１が形成されている領域と柱ＳＴ１とを一体として立ち上げる。同様にして、切り抜き画像５０２が形成されている領域と柱ＳＴ２とを一体として立ち上げる。切り抜き画像５０３が形成されている領域と柱ＳＴ３とを一体として立ち上げる。切り抜き画像５０４が形成されている領域と、柱ＳＴ４とを一体として立ち上げる。
【００７９】
その結果、４つのパーツが作製でき、立体模型６を作製できる。すなわち、切り抜き画像５０１が形成された領域を柱ＳＴ１が支持して立ち上がったパーツと、切り抜き画像５０２が形成された領域を柱ＳＴ２が支持して立ち上がったパーツと、切り抜き画像５０３が形成された領域を柱ＳＴ３が支持して立ち上がったパーツと、切り抜き画像５０４が形成された領域を柱ＳＴ４が支持して立ち上がったパーツとを作製できる。
【００８０】
次に、図１〜図１２を参照して、制御部１１の処理について説明する。図９及び図１０は、制御部１１の処理を示すフローチャートである。図１１は、制御部１１の「画像合成処理」を示すフローチャートである。図１２は、制御部１１の「調整処理」を示すフローチャートである。「画像合成処理」は、第１画像Ｐ１と第２画像Ｐ２とを合成して１つの合成画像を生成する処理を示す。「調整処理」は、切り抜き画像５０１〜５０４の位置及び大きさと、柱画像５１１〜５１４の位置及び大きさとを調整する処理を示す。
【００８１】
図９に示すように、まず、ステップＳ１０１において、取得部１１２がＵＳＢメモリー２から複数の画像データを取得する。
次に、ステップＳ１０３において、表示制御部１１１が展開画像アイコンをタッチパネル１８１に表示し、制御部１１が、ユーザーからの指示に基づいて、展開画像５００を生成するか否かを判定する。
展開画像５００を生成しないと制御部１１が判定した場合（ステップＳ１０３でＮＯ）には、処理が終了する。展開画像５００を生成すると制御部１１が判定した場合（ステップＳ１０３でＹＥＳ）には、処理がステップＳ１０５に進む。
そして、ステップＳ１０５において、取得部１１２が、複数の画像データから第１全体画像４００の画像データを取得する。
次に、ステップＳ１０７において、取得部１１２が、複数の画像データから第１全体画像４１０の画像データを取得する。
そして、ステップＳ１０９において、取得部１１２が、複数の画像データから第２全体画像４２０の画像データを取得する。
【００８２】
次に、ステップＳ１１１において、制御部１１が「画像合成処理」を実行する。
そして、ステップＳ１１３において、検出部１１５が第１全体画像４００、及び第１全体画像４１０のエッジを検出する。
次に、ステップＳ１１５において、生成部１１６が、背景画像５０５を展開画像５００に生成する。
そして、ステップＳ１１７において、生成部１１６が、切り抜き画像５０１〜５０４を展開画像５００に生成する。
次に、図１０に示すように、ステップＳ１１９において、生成部１１６が、柱画像５１１〜５１４を展開画像５００に生成する。
そして、ステップＳ１２１において、調整部１１７が展開画像５００をタッチパネル１８１に表示する。
【００８３】
次に、ステップＳ１２３において、調整部１１７が、ユーザーからの指示に基づいて、展開画像５００を調整するか否かを判定する。
展開画像５００を調整しないと判定した場合（ステップＳ１２３でＮＯ）には、処理がステップＳ１２７に進む。展開画像５００を調整すると判定した場合（ステップＳ１２３でＹＥＳ）には、処理がステップＳ１２５に進む。
そして、ステップＳ１２５において、制御部１１が「画像調整処理」を実行する。
次に、指示部１１８が、ユーザーからの指示に基づいて、用紙Ｐに展開画像５００を形成するか否かを判定する。
用紙Ｐに展開画像５００を形成しないと指示部１１８が判定した場合（ステップＳ１２７でＮＯ）には、処理がステップＳ１２３に戻る。用紙Ｐに展開画像５００を形成すると指示部１１８が判定した場合（ステップＳ１２７でＹＥＳ）には、処理がステップＳ１２９に進む。
そして、ステップＳ１２９において、指示部１１８が用紙Ｐに展開画像５００を形成するように画像形成部１４に指示し、画像形成部１４が用紙Ｐに展開画像５００を形成して、処理が終了する。
【００８４】
次に、図１１を参照して「画像合成処理」について説明する。図１１では、第１画像Ｐ１と第２画像Ｐ２とを画像合成する場合について説明する。
まず、ステップＳ２０１において、判定部１１３が、第１被写体ＳＢ１の焦点距離ＬＡ１を取得する。
次に、ステップＳ２０３において、判定部１１３が、第２被写体ＳＢ２の焦点距離ＬＡ２を取得する。
そして、ステップＳ２０５において、判定部１１３が、第１画像Ｐ１の最大長ＬＢ１を取得する。第１画像Ｐ１は、第１被写体ＳＢ１を示す画像である。最大長ＬＢ１は、第１画像Ｐ１の所定方向の一方側端から他方側端までの距離を示す。所定方向は、例えば、第１全体画像の長辺方向を示す。
次に、ステップＳ２０７において、判定部１１３が、第２画像Ｐ２の最大長ＬＢ２を取得する。第２画像Ｐ２は、第２被写体ＳＢ２を示す画像である。最大長ＬＢ２は、第２画像Ｐ２の所定方向の一方側端から他方側端までの距離を示す。
【００８５】
そして、ステップＳ２０９において、判定部１１３が、焦点距離ＬＡ２が焦点距離ＬＡ１より長いか否かを判定する。
焦点距離ＬＡ２が焦点距離ＬＡ１より長くないと判定部１１３が判定した場合（ステップＳ２０９でＮＯ）には、処理がステップＳ２１７に進む。焦点距離ＬＡ２が焦点距離ＬＡ１より長いと判定部１１３が判定した場合（ステップＳ２０９でＹＥＳ）には、処理がステップＳ２１１に進む。
そして、ステップＳ２１１において、判定部１１３が、最大長ＬＢ１が最大長ＬＢ２より長いか否かを判定する。
最大長ＬＢ１が最大長ＬＢ２より長くないと判定部１１３が判定した場合（ステップＳ２１１でＮＯ）には、処理が図９のステップＳ１１３にリターンする。最大長ＬＢ１が最大長ＬＢ２より長いと判定部１１３が判定した場合（ステップＳ２１１でＹＥＳ）には、処理がステップＳ２１３に進む。
そして、ステップＳ２１３において、判定部１１３が、第１画像Ｐ１が第２画像Ｐ２の周囲を囲むか否かを判定する。
第１画像Ｐ１が第２画像Ｐ２の周囲を囲まないと判定部１１３が判定した場合（ステップＳ２１３でＮＯ）には、処理が図９のステップＳ１１３にリターンする。第１画像Ｐ１が第２画像Ｐ２の周囲を囲むと判定部１１３が判定した場合（ステップＳ２１３でＹＥＳ）には、処理がステップＳ２１５に進む。
そして、ステップＳ２１５において、合成部１１４が第１画像Ｐ１と第２画像Ｐ２とを画像合成して１つの合成画像を生成し、処理が図９のステップＳ１１３にリターンする。
【００８６】
ステップＳ２０９でＮＯの場合には、ステップＳ２１７において、判定部１１３が、焦点距離ＬＡ１が焦点距離ＬＡ２より長いか否かを判定する。
焦点距離ＬＡ１が焦点距離ＬＡ２より長くないと判定部１１３が判定した場合（ステップＳ２１７でＮＯ）には、処理が図９のステップＳ１１３にリターンする。焦点距離ＬＡ１が焦点距離ＬＡ２より長いと判定部１１３が判定した場合（ステップＳ２１７でＹＥＳ）には、処理がステップＳ２１９に進む。
そして、ステップＳ２１９において、判定部１１３が、最大長ＬＢ２が最大長ＬＢ１より長いか否かを判定する。
最大長ＬＢ２が最大長ＬＢ１より長くないと判定部１１３が判定した場合（ステップＳ２１９でＮＯ）には、処理が図９のステップＳ１１３にリターンする。最大長ＬＢ２が最大長ＬＢ１より長いと判定部１１３が判定した場合（ステップＳ２１９でＹＥＳ）には、処理がステップＳ２２１に進む。
そして、ステップＳ２２１において、判定部１１３が、第２画像Ｐ２が第１画像Ｐ１の周囲を囲むか否かを判定する。
第２画像Ｐ２が第１画像Ｐ１の周囲を囲まないと判定部１１３が判定した場合（ステップＳ２２１でＮＯ）には、処理が図９のステップＳ１１３にリターンする。第２画像Ｐ２が第１画像Ｐ１の周囲を囲むと判定部１１３が判定した場合（ステップＳ２２１でＹＥＳ）には、処理がステップＳ２２３に進む。
そして、ステップＳ２２３において、合成部１１４が第１画像Ｐ１と第２画像Ｐ２とを画像合成して１つの合成画像を生成し、処理が図９のステップＳ１１３にリターンする。
【００８７】
次に、図１２を参照して「画像調整処理」について説明する。まず、ステップＳ３０１において、調整部１１７が、ユーザーからの指示に基づいて、調整対象の画像ＰＫを受け付けたか否かの判定を行う。調整対象の画像ＰＫは、切り抜き画像５０１〜５０４と柱画像５１１〜５１４とを含む。
調整対象の画像ＰＫを受け付けていないと調整部１１７が判定した場合（ステップＳ３０１でＮＯ）には、処理が待機状態になる。調整対象の画像ＰＫを受け付けたと調整部１１７が判定した場合（ステップＳ３０１でＹＥＳ）には、処理がステップＳ３０３に進む。
そして、ステップＳ３０３において、調整部１１７が、ユーザーからの指示に基づいて、画像ＰＫの位置を調整するか否かを判定する。
画像ＰＫの位置を調整しないと調整部１１７が判定した場合（ステップＳ３０３でＮＯ）には、処理がステップＳ３０９に進む。画像ＰＫの位置を調整すると調整部１１７が判定した場合（ステップＳ３０３でＹＥＳ）には、処理がステップＳ３０５に進む。
そして、ステップＳ３０５において、調整部１１７が、ユーザーからの指示に基づいて、画像ＰＫの調整後の位置を受け付ける。
次に、ステップＳ３０７において、調整部１１７が、画像ＰＫの位置を調整する。
【００８８】
そして、ステップＳ３０９において、調整部１１７が、ユーザーからの指示に基づいて、画像ＰＫの大きさを調整するか否かを判定する。
画像ＰＫの大きさを調整しないと調整部１１７が判定した場合（ステップＳ３０９でＮＯ）には、処理がステップＳ３１５に進む。画像ＰＫの大きさを調整すると調整部１１７が判定した場合（ステップＳ３０９でＹＥＳ）には、処理がステップＳ３１１に進む。
そして、ステップＳ３１１において、調整部１１７が、ユーザーからの指示に基づいて、画像ＰＫの調整後の大きさを受け付ける。
次に、ステップＳ３１３において、調整部１１７が、画像ＰＫの大きさを調整する。
そして、ステップＳ３１５において、調整部１１７が、ユーザーからの指示に基づいて、画像調整処理を終了するか否かを判定する。
画像調整処理を終了しないと調整部１１７が判定した場合（ステップＳ３１５でＮＯ）には、処理がステップＳ３０１に戻る。画像調整処理を終了すると調整部１１７が判定した場合（ステップＳ３１５でＹＥＳ）には、処理が図１０のステップＳ１２７にリターンする。
【００８９】
以上、図１〜図１２を参照して説明したように、本実施形態では、生成部１１６が、背景画像５０５を背景画像として展開画像５００に生成し、切り抜き画像５０１〜５０４を展開画像５００に生成し、柱画像５１１〜５１４を展開画像５００に生成する。したがって、立体模型６の展開図の展開画像５００を生成できる。
【００９０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００９１】
（１）図１を参照して説明したように、画像形成装置１はカラー複合機であるが、本発明はこれに限定されない。画像形成装置が用紙Ｐに画像を形成すればよい。例えば、画像形成装置がカラープリンターでもよい。また、例えば、画像形成装置がカラー複写機でもよい。
【００９２】
（２）図２及び図４〜図７を参照して説明したように、生成部１１６が展開画像５００に４つの切り抜き画像５０１〜５０４を生成するが、本発明はこれに限定されない。生成部１１６が展開画像に少なくとも１つの切り抜き画像を生成すればよい。例えば、生成部１１６が展開画像に２つの切り抜き画像を生成してもよい。また、例えば、生成部１１６が展開画像に５個以上の切り抜き画像を生成してもよい。
【００９３】
（３）図２及び図４〜図７を参照して説明したように、調整部１１７が切り抜き画像の位置及び大きさを調整するが、本発明はこれに限定されない。調整部１１７が切り抜き画像の位置及び大きさの少なくとも一方を調整すればよい。例えば、調整部１１７が切り抜き画像の位置だけを調整してもよい。また、例えば、調整部１１７が切り抜き画像の位置及び大きさを調整しない形態でもよい。
【００９４】
（４）図２及び図４〜図７を参照して説明したように、調整部１１７が柱画像の位置及び大きさを調整するが、本発明はこれに限定されない。調整部１１７が柱画像の位置及び大きさの少なくとも一方を調整すればよい。例えば、調整部１１７が柱画像の大きさだけを調整してもよい。また、例えば、調整部１１７が柱画像の位置及び大きさを調整しない形態でもよい。
【産業上の利用可能性】
【００９５】
本発明は、画像形成装置に関するものであり、産業上の利用可能性を有する。
【符号の説明】
【００９６】
１    画像形成装置
１１    制御部
１１１    表示制御部
１１２    取得部
１１３    判定部
１１４    合成部
１１５    検出部
１１６    生成部
１１７    調整部
１１８    指示部
１４    画像形成部
１８    操作表示部
１８１    タッチパネル（表示部）
２    ＵＳＢメモリー
５００    展開画像
６    立体模型
ＡＲ１    特定の領域
ＡＲ２    領域
Ｐ１    第１画像
Ｐ２    第２画像
ＳＢ１    第１被写体
ＳＢ１１、ＳＢ２１、ＳＢ２２、ＳＢ２３、ＳＢ２４    第１被写体
ＳＢ２    第２被写体
ＳＢ１２、ＳＢ２５    第２被写体
【図１】
2018173725.tif 000003
【図２】
2018173725.tif 000004
【図３】
2018173725.tif 000005
【図４】
2018173725.tif 000006
【図５】
2018173725.tif 000007
【図６】
2018173725.tif 000008
【図７】
2018173725.tif 000009
【図８】
2018173725.tif 000010
【図９】
2018173725.tif 000011
【図１０】
2018173725.tif 000012
【図１１】
2018173725.tif 000013
【図１２】
2018173725.tif 000014